(57)【要約】【課題】既設の柱上変圧器の二次側から多くの系統を安全に取り出すことができる端子接続用アダプタを提供する。【解決手段】端子接続用アダプタ１は、柱上変圧器の二次側端子１２に電線の一端を接続するための圧縮端子２２を連結させるものである。厚さ方向に貫通する複数の貫通孔３，４を備え、各貫通孔３，４を通るボルト２３により圧縮端子２２を取り付け可能な導電板２からなる。貫通孔３，４は、複数の圧縮端子２２を互いに離間させて取り付け可能な位置に設けられ、貫通孔３は、二次側端子１２に設けられた貫通孔１３と心合わせしてボルト２３を挿通可能に形成されている。導電板２は、貫通孔３と二次側端子１２の貫通孔１３とを心合わせした際、Ｌ字形断面の角部を構成する二面２ｃ，２ｄが二次側端子１２に密接可能に形成されている。【選択図】  図２
2009043659.tif 000002
【特許請求の範囲】
【請求項１】
柱上変圧器の二次側端子に電線の一端を接続するための圧縮端子を連結させる端子接続用アダプタであって、
厚さ方向に貫通する複数の貫通孔を備え、各該貫通孔を通るボルトにより前記圧縮端子を取り付け可能な導電板からなり、
前記複数の貫通孔は、複数の前記圧縮端子を互いに離間させて取り付け可能な位置に設けられ、前記貫通孔の少なくとも一つは、前記二次側端子に設けられた貫通孔と心合わせして前記ボルトを挿通可能に形成されていることを特徴とする端子接続用アダプタ。
【請求項２】
前記導電板は、断面Ｌ字形状であって、前記貫通孔の少なくとも一つと前記二次側端子に設けられた貫通孔とを心合わせした際、凹部の角部を構成する二面が前記二次側端子に密接可能に形成されていることを特徴とする請求項１記載の端子接続用アダプタ。
【発明の詳細な説明】
【技術分野】
【０００１】
本発明は、柱上変圧器の二次側端子に連結される端子接続用アダプタに関する。
【背景技術】
【０００２】
電柱に設置された柱上変圧器は、その二次側端子に圧縮端子を介して接続された電線により需要家に送電している。
【０００３】
二次側端子は、薄板状に形成され、その厚さ方向に貫通する貫通孔を備えている。この貫通孔にボルトを通してナットで締め付けることにより、二次側端子の両面に圧縮端子を連結することができるようになっている。例えば、１００ｋＶＡの柱上変圧器の二次側端子は、上下一対の貫通孔を備え、表裏各面に１個ずつ合計２個の圧縮端子を連結可能であることから、最大２系統を取り出すことができる。また、１５０ｋＶＡの柱上変圧器の二次側端子は、上下二対の貫通孔を備え、表裏各面に２個ずつ合計４個の圧縮端子を連結可能であることから、最大４系統を取り出すことができる。
【０００４】
ところで、例えばマンションのように需要家の数が多い場合には、上記系統数では不足することがある。例えば、既設の１００ｋＶＡの柱上変圧器から４系統を取り出そうとしても、該柱上変圧器の二次側端子には上記貫通孔が上下一対しかないので圧縮端子４個を連結することはできない。そこで、１００ｋＶＡの柱上変圧器を１５０ｋＶＡの柱上変圧器に交換することが考えられるが、交換作業が大掛かりとなる。さらに、１００ｋＶＡの柱上変圧器のままで、２個の圧縮端子に接続された各電線を途中で分岐させて４系統を取り出すことが考えられるが、圧縮端子から電線の分岐部までに超過電流が流れるおそれがある。したがって、既設の柱上変圧器から多くの系統を安全に取り出すことができる技術が望まれる。
【発明の開示】
【発明が解決しようとする課題】
【０００５】
本発明は、上記事情に鑑み、既設の柱上変圧器の二次側から多くの系統を安全に取り出すことができる端子接続用アダプタを提供することを目的とする。
【課題を解決するための手段】
【０００６】
本発明は、柱上変圧器の二次側端子に電線の一端を接続するための圧縮端子を連結させる端子接続用アダプタであって、厚さ方向に貫通する複数の貫通孔を備え、各該貫通孔を通るボルトにより前記圧縮端子を取り付け可能な導電板からなり、前記複数の貫通孔は、複数の前記圧縮端子を互いに離間させて取り付け可能な位置に設けられ、前記貫通孔の少なくとも一つは、前記二次側端子に設けられた貫通孔と心合わせして前記ボルトを挿通可能に形成されていることを特徴とする。
【０００７】
本発明によれば、前記導電板の前記複数の貫通孔に前記ボルトにより前記圧縮端子を取り付けるとともに、前記貫通孔の少なくとも一つと前記二次側端子に設けられた貫通孔とを心合わせして前記ボルトを挿通し、前記導電板と前記二次側端子とを結合させることにより、前記複数の圧縮端子を前記二次側端子に連結させることができる。このとき、前記導電板は、前記複数の貫通孔を介して前記複数の圧縮端子を取り付け可能であるので、貫通孔の数が限られた前記二次側端子に前記圧縮端子を直接連結する従来の方法と比較して、前記二次側端子に連結可能な前記圧縮端子の数を増やすことができる。したがって、既設の柱上変圧器から多くの系統を安全に取り出すことができる。
【０００８】
また、本発明において、前記導電板は、断面Ｌ字形状であって、前記貫通孔の少なくとも一つと前記二次側端子に設けられた貫通孔とを心合わせした際、凹部の角部を構成する二面が前記二次側端子に密接可能に形成されていることが好ましい。ここで、凹部の角部を構成する二面とは、断面Ｌ字形状の肉薄部の上端面と、肉薄部の上端面及び肉厚部の上端面の間の側面とのことである。前記貫通孔の少なくとも一つと前記二次側端子に設けられた貫通孔とを心合わせした際、前記凹部の角部を構成する二面が前記二次側端子に密接するので、前記導電板と前記二次側端子とを結合したときに、前記導電板ががたつくことなく確実に保持される。
【発明を実施するための最良の形態】
【０００９】
以下に、図面を参照しながら本発明の実施形態について説明する。図１に示す第１実施形態の端子接続用アダプタ１は、図２に示す１００ｋＶＡの柱上変圧器１１の二次側端子１２に電線２１の一端を接続するための圧縮端子２２を連結させるものであり、例えばタフピッチ銅製または硬銅製の断面Ｌ字形状の導電板２からなる。導電板２は、肉薄部２ａを厚さ方向に貫通する上下一対の貫通孔３と、肉厚部２ｂを厚さ方向に貫通する上下一対の貫通孔４とを備え、各貫通孔３，４を通るボルト２３，２３により、各面に２個ずつ合計４個の圧縮端子２２を着脱自在に取り付け可能になっている。各貫通孔３，４は、複数の圧縮端子２２を互いに離間させて取り付け可能な位置に設けられている。また、貫通孔３は、二次側端子１２を厚さ方向に貫通する上下一対の貫通孔１３と心合わせしてボルト２３を挿通可能に形成されている。導電板２は、貫通孔３と二次側端子１２の貫通孔１３とを心合わせしたときに、Ｌ字形断面の凹部の角部を構成する二面、すなわち、図１（ａ）において、肉薄部２ａの前面２ｃと、肉薄部２ａの前面２ｃと肉厚部２ｂの境界をなす側面２ｄとが、二次側端子１２の二面に密接可能に形成されている。
【００１０】
図２に示す柱上変圧器１１は、二次側端子１２を３つ備え、各二次側端子１２に連結される圧縮端子２２ａ〜２２ｄに接続された電線２１を介して需要家に送電する。二次側端子１２は、上下一対の貫通孔１３を通るボルト２３により、各面１２ａ，１２ｂ（図１（ｂ））に１個ずつ合計２個の圧縮端子２２を直接連結できるようになっている。
【００１１】
図１及び図２に示す４つの圧縮端子２２ａ〜２２ｄは、それぞれ羽子板部に上下一対の貫通孔２４を備え、圧縮した下端部に電線２１が接続されている。
【００１２】
次に、端子接続用アダプタ１の使用状態について説明する。なお、図２においては、中央の二次側端子１２に端子接続用アダプタ１を使用しているが、左右の二次側端子１２，１２についても同様に端子接続用アダプタ１が使用される。
【００１３】
まず、導電板２の貫通孔３と二次側端子１２の貫通孔１３とを心合わせする。このとき、導電板２の肉薄部２ａの前面２ｃと側面２ｄが二次側端子１２の二面に密接する。
【００１４】
次に、図１（ｂ）のように、圧縮端子２２ａの貫通孔２４と、導電板２の貫通孔３と、二次側端子１２の貫通孔１３と、圧縮端子２２ｂの貫通孔２４とを心合わせし、これらの貫通孔２４，３，１３，２４に圧縮端子２２ａの側からボルト２３を挿通し、圧縮端子２２ｂの側でボルト２３の先端に図示しないナットを螺合して締め付ける。これにより、導電板２の肉薄部２ａの前面２ｃ及び側面２ｄが二次側端子１２に密接した状態で導電板２と二次側端子１２とが結合するとともに、１番目の圧縮端子２２ａが二次側端子１２の前面１２ａに取り付けられ、２番目の圧縮端子２２ｂが導電板２の背面２ｅに取り付けられる。
【００１５】
次に、圧縮端子２２ｃの貫通孔２４と、導電板２の貫通孔４と、圧縮端子２２ｄの貫通孔２４とを心合わせし、これらの貫通孔２４，４，２４に圧縮端子２２ｃの側からボルト２３を挿通し、圧縮端子２２ｄの側でナットで締め付ける。これにより、３番目の圧縮端子２２ｃが導電板２の肉厚部２ｂの前面２ｆに取り付けられ、４番目の圧縮端子２２ｄが導電板２の背面２ｅに取り付けられる。以上により、二次側端子１２の前面１２ａに取り付けられた圧縮端子２２ａと、導電板２の背面２ｅに取り付けられた圧縮端子２２ｂ，２２ｄと、導電板２の肉厚部２ｂの前面２ｆに取り付けられた圧縮端子２２ｃとが、互いに離間した状態で、二次側端子１２に連結される。
【００１６】
第１実施形態の端子接続用アダプタ１によれば、導電板２は、貫通孔３，４を介して、各面に２個ずつ合計４個の圧縮端子２２を取り付け可能であるので、貫通孔１３の数が限られた二次側端子１２に圧縮端子２２を直接連結する従来の方法と比較して、二次側端子１２に連結可能な圧縮端子２２の数を２個から４個に増やすことができる。したがって、既設の柱上変圧器１１から多くの系統を安全に取り出すことができる。
【００１７】
また、導電板２は、断面Ｌ字形状であって、貫通孔３と二次側端子１２の貫通孔１３とを心合わせしたときに、Ｌ字形断面の角部を構成する二面、すなわち、肉薄部２ａの前面２ｃ及び側面２ｄが二次側端子１２に密接可能に形成されているので、導電板２と二次側端子１２とを結合したときに、導電板２ががたつくことなく確実に保持される。
【００１８】
次に、第２実施形態の端子接続用アダプタについて説明する。図３（ａ）に示す端子接続用アダプタ３１は、正面視略Ｊ字状の導電板２からなる。導電板２は、直立部２ｇを厚さ方向に貫通する上下一対の貫通孔３と、傾斜部２ｈを厚さ方向に貫通する上下一対の貫通孔４とを備え、図３（ｂ）のように、貫通孔３，４を通るボルト２３，２３により、各面２ｉ，２ｊに２個ずつ合計４個の圧縮端子２２を着脱自在に取り付け可能になっている。各貫通孔３，４は、複数の圧縮端子２２を互いに離間させて取り付け可能な位置に設けられている。また、貫通孔３は、二次側端子１２の貫通孔１３と心合わせしてボルト２３を挿通可能に形成されている。
【００１９】
図３（ｂ）は、端子接続用アダプタ３１の使用状態を示す。圧縮端子２２ａの貫通孔２４と、導電板２の貫通孔３と、二次側端子１２の貫通孔１３と、圧縮端子２２ｂの貫通孔２４とを心合わせし、これらの貫通孔２４，３，１３，２４に圧縮端子２２ａの側からボルト２３を挿通し、圧縮端子２２ｂの側で図示しないナットで締め付ける。これにより、導電板２の直立部２ｇの前面２ｉが二次側端子１２の裏面に密着した状態で導電板２と二次側端子１２とが結合するとともに、１番目の圧縮端子２２ａが二次側端子１２の前面に取り付けられ、２番目の圧縮端子２２ｂが導電板２の直立部２ｇの背面２ｊに取り付けられる。
【００２０】
次に、圧縮端子２２ｃの貫通孔２４と、導電板２の貫通孔４と、圧縮端子２２ｄの貫通孔２４とを心合わせし、これらの貫通孔２４，４，２４に圧縮端子２２ｃの側からボルト２３を挿通し、圧縮端子２２ｄの側でナットで締め付ける。これにより、３番目の圧縮端子２２ｃが導電板２の傾斜部２ｈの前面２ｉに圧縮端子２２ａから離間させて取り付けられ、４番目の圧縮端子２２ｄが導電板２の傾斜部２ｈの裏面２ｊに圧縮端子２２ｂから離間させて取り付けられる。以上の構成により、端子接続用アダプタ３１を使用して、二次側端子１２に２個ずつ合計４個の圧縮端子２２を連結することができる。
【００２１】
また、図４（ａ）に示す端子接続用アダプタ３２のように、導電板２が、図３（ａ）に示す導電板２の傾斜部２ｈから下方に延長した位置に垂下部２ｋを有し、この垂下部２ｋに上下一対の貫通孔４をさらに備えるようにしてもよい。この貫通孔４は、図４（ｂ）のように、傾斜部２ｈの貫通孔４に取り付けられる圧縮端子２２ｃ，２２ｄから離間させた状態で、さらに２個の圧縮端子２２ｅ，２２ｆを取り付けられる位置に設けられている。以上の構成により、端子接続用アダプタ３２を使用して、二次側端子１２に最大６個の圧縮端子２２を連結することができる。
【００２２】
次に、第３実施形態の端子接続用アダプタについて説明する。図５（ａ）に示す端子接続用アダプタ４１は、導電性を有する線材５を介して連結された３つの導電板２ａ〜２ｃからなる。導電板２ａ〜２ｃは、図１の端子接続用アダプタ１の導電板２を一定の厚さに変更したものである。図５（ｂ）に示すように、１つの導電板２ａの両側に２つの導電板２ｂ，２ｃが配置されている。また、線材５は、一端部５ａが導電板２ａの側面上端部に溶接され、途中で分岐し、分岐した他端部５ｂが導電板２ｂ，２ｃの側面中央部に溶接されている。
【００２３】
この端子接続用アダプタ４１を使用するときは、図示しないが、中央の導電板２ａの貫通孔３と、二次側端子１２の貫通孔とを心合わせし、さらに、圧縮端子の貫通孔と、導電板２ａ〜２ｃの各貫通孔３，４と、他の圧縮端子の貫通孔とを心合わせし、これらの貫通孔にボルトを挿通しナットで締め付ける。これにより、導電板２ａと二次側端子１２とを結合し、導電板２ａ〜２ｃの表裏各面に圧縮端子を取り付ける。以上の構成により、端子接続用アダプタ４１を使用して、二次側端子１２に最大１２個の圧縮端子を連結することができる。
【００２４】
また、端子接続用アダプタ４１を二次側端子１２に使用する際には、図５（ｃ）に示すように、隣接する他の二次側端子１２に対して端子接続用アダプタ４１を上下逆向きに取り付けることにより、各二次側端子１２に連結される各圧縮端子の接触を防ぐことができる。
【００２５】
また、図６（ａ）に示す端子接続用アダプタ４２のように、３つの導電板２ａ〜２ｃを順次斜め方向にずらした位置で連結するようにしてもよい。図６（ｂ）に示すように、中央の導電板２ａは、線材５ｃを介して左斜め上方の導電板２ｂに連結し、線材５ｄを介して右斜め下方の導電板２ｃに連結している。線材５ｃは、下端部５ｅが中央の導電板２ａの上端部に溶接され、上端部５ｆが下方の導電板２ｂの下端部に溶接されている。線材５ｄは、上端部５ｇが中央の導電板２ａの下端部に溶接され、下端部５ｈが下方の導電板２ｃの上端部に溶接されている。
【００２６】
この端子接続用アダプタ４２を使用するときは、図５の端子接続用アダプタ４１と同様に、導電板２ａと二次側端子１２とを結合し、導電板２ａ〜２ｃの表裏各面に圧縮端子を取り付ける。
【００２７】
また、端子接続用アダプタ４２を二次側端子１２に使用する際には、図６（ｃ）に示すように、各二次側端子１２に対して端子接続用アダプタ４２を同じ向きに取り付ける。したがって、端子接続用アダプタ４１とは異なり、端子接続用アダプタ４２を二次側端子１２に同じ向きに取り付けることができるので、圧縮端子の取り付け作業が容易である。
【００２８】
なお、本実施形態の端子接続用アダプタ１，３１，３２，４１，４２は、１００ｋＶＡの柱上変圧器１１の二次側端子１２に使用されるものとして記載したが、７５ｋＶＡや１５０ｋＶＡの柱上変圧器に使用されるものであってもよい。
【図面の簡単な説明】
【００２９】
【図１】第１実施形態の端子接続用アダプタの構成を示す図。
【図２】第１実施形態の端子接続用アダプタの使用状態を示す図。
【図３】第２実施形態の端子接続用アダプタの構成及び使用状態を示す図。
【図４】第２実施形態の端子接続用アダプタの変形例の構成及び使用状態を示す図。
【図５】第３実施形態の端子接続用アダプタの構成及び使用状態を示す図。
【図６】第３実施形態の端子接続用アダプタの変形例の構成及び使用状態を示す図。
【符号の説明】
【００３０】
１，３１，４１…端子接続用アダプタ、  ２…導電板、  ２ｃ，２ｅ…導電板の凹部の角部を構成する二面、  ３，４…導電板の貫通孔、  １３…二次側端子の貫通孔、  １１…柱上変圧器、  １２…二次側端子、  ２１…電線、  ２２…圧縮端子、  ２３…ボルト。
【図１】
2009043659.tif 000003
【図２】
2009043659.tif 000004
【図３】
2009043659.tif 000005
【図４】
2009043659.tif 000006
【図５】
2009043659.tif 000007
【図６】
2009043659.tif 000008